(57)【要約】【課題】本発明は、容器内部の食材を食する程度に暖めたり調理する際に、手軽に利用でき、かつ食材の調理終了の時間を確実に報知できる調理用タイマーを提供することを目的とするものである。【解決手段】上面と側面とから成る角部を有する被載置体の前記上面に載置可能となっているとともに、時間の経過に起因してタイマー本体１が被載置体から落下する調理タイマーを提供するものであり、この調理用タイマーによれば、タイマー本体１の重心が移動する重心移動手段により、タイマー本体１は時間の経過に起因して前記タイマー本体１の重心が次第にまたは瞬間的に移動するようになっている。そのため計測したい所定の時間経過時において前記タイマー本体１が前記被載置体から落下するように、位置規定部を用いて前記被載置体の角部に対するタイマー本体の載置位置を選べば、極めてシンプルな構造にして食材の調理終了の時間を確実に報知できることになる。【選択図】  図６
2013083443.tif 000002
【特許請求の範囲】
【請求項１】
上面と側面とから成る角部を有する被載置体の前記上面に載置可能となっているタイマー本体であり、前記タイマー本体の一部には、前記タイマー本体の載置時において前記被載置体の角部に対するタイマー本体の載置位置を示す位置規定部が設けられているとともに、前記タイマー本体は時間の経過に起因して前記タイマー本体の重心が移動する重心移動手段を備え、所定時間経過後の前記タイマー本体の重心の移動で前記被載置体から前記タイマー本体が落下することを特徴としている調理用タイマー。
【請求項２】
前記重心移動手段が、所定の傾斜により、前記流動体が下流に移動することによって重心の移動を可能としていることを特徴とする請求項１に記載の調理用タイマー。
【請求項３】
少なくとも基部と前記流動体を備えた重心移動部とを有し、調理用タイマーが上面と側面とから成る角部を有する被載置体の前記上面に載置された状態で、重心移動部が側面側に傾斜状態になることを特徴とする請求項１または請求項２に記載の調理用タイマー。
【請求項４】
少なくとも前記基部と前記重心移動部とを有し、前記基部に対して前記重心移動部が回動可能となっており、この回動によって前記重心移動部の前記流動体の配置位置を変更できるようになっていることを特徴とする請求項１ないし３のいずれかに記載の調理用タイマー。
【発明の詳細な説明】
【技術分野】
【０００１】
本発明は、カップや皿、鍋などの種々の容器内の食材の調理終了の時間の完了を報知できる調理用タイマーに関する。
【背景技術】
【０００２】
従来、カップ食材と称されるものには、調理済みや一部調理済みの、麺や、ご飯、野菜、その他各種食材がカップ中に収納され、カップ内にお湯を注ぐことにより内部の食材を食する程度に暖めたり、調理できるものである。また皿内に食材を投入し、お湯を注いだ後蓋等を被せ内部の食材を食する程度に暖めたり、調理を行う食材もある。例えばカップ麺と称される食品を例に挙げると、カップ麺容器の蓋体の一部分を剥離し、そこから湯を注いで麺の茹でを３分から５分程度待つ処理が必要となる。その際に、時間を計り監視していないと、麺の茹で時間が短すぎたり、または長すぎたりして良好な茹の具合を得られないことがある（例えば、特許文献１、２参照）。
【先行技術文献】
【特許文献】
【０００３】
【特許文献１】特開２００９−３００４０９号公報
【特許文献２】実開平６−８６０９６号公報
【発明の概要】
【発明が解決しようとする課題】
【０００４】
従来、時間が短すぎたり、長すぎたりして良好な茹で具合を得られないといった上記問題を解決するために、背景技術として上記公知文献１や２に示されるように、蓋体を押えておく器具や、蓋体を押える器具に時間を測る砂時計が取り付けられたものがあった。これらの文献に示されるような技術は一部既に実用化されているが、公知文献２のものでは一々時計を用いて時間を測らなければならず実用性に富むものではなかった。特に公知文献１に示されている技術は、重石とともに砂時計等を有するものであるが、結局、砂時計の砂が落ちきるのを逐次監視していなければならないものであり、明快かつ効果的に麺の茹で上がり時間を伝達できるものではなく、上記する課題を効果的に解決できるものではない。
【０００５】
そこで本発明は、容器内部の食材を食する程度に暖めたり調理する際に、手軽に利用でき、かつ食材の調理終了の時間を確実に報知できる調理用タイマーを提供することを目的とするものである。
【課題を解決するための手段】
【０００６】
かかる目的を達成するために本発明に係る調理用タイマーは、上面と側面とから成る角部を有する被載置体の前記上面に載置可能となっているタイマー本体であり、前記タイマー本体の一部には、前記タイマー本体の載置時において前記被載置体の角部に対するタイマー本体の載置位置を示す位置規定部が設けられているとともに、前記タイマー本体は時間の経過に起因して前記タイマー本体の重心が移動する重心移動手段を備え、所定時間経過後の前記タイマー本体の重心の移動で前記被載置体から前記タイマー本体が落下することを特徴としている。
この特徴によれば、前記重心移動手段により、タイマー本体は時間の経過に起因して前記タイマー本体の重心が次第にまたは瞬間的に移動するようになっている。そのため計測したい所定の時間経過時において前記タイマー本体が前記被載置体から落下するように、位置規定部を用いて前記被載置体の角部に対するタイマー本体の載置位置を選べば、極めてシンプルな構造にして食材の調理終了の時間を確実に報知できることになる。
【０００７】
かかる目的を達成するために本発明に係る調理用タイマーは、前記重心移動手段が、所定の傾斜により、前記流動体が下流に移動することによって重心の移動を可能としていることを特徴としている。
この特徴によれば、前記重心移動手段により、タイマー本体は時間の経過に起因して前記タイマー本体の重心が次第にかつ正確に移動し、時間経過を正確に計測できる。また構造が極めて簡素化できることになる。
【０００８】
かかる目的を達成するために本発明に係る調理用タイマーは、少なくとも基部と前記流動体を備えた重心移動部とを有し、調理用タイマーが上面と側面とから成る角部を有する被載置体の前記上面に載置された状態で、重心移動部が側面側に傾斜状態になることを特徴としている。
この特徴によれば、被載置体の前記上面に調理用タイマーが載置された状態から計時を開始でき、取り扱いが簡便となる。
【０００９】
かかる目的を達成するために本発明に係る調理用タイマーは、少なくとも前記基部と前記重心移動部とを有し、前記基部に対して前記重心移動部が回動可能となっており、この回動によって前記重心移動部の前記流動体の配置位置を変更できるようになっていることを特徴としている。
この特徴によれば、適宜重心移動部の前記流動体の配置位置を変更して、繰り返し調理用タイマーを利用できることになる。
【図面の簡単な説明】
【００１０】
【図１】本発明の第1実施形態を概略的に示す斜視図である。
【図２】タイマー本体を上方から見た斜視図である。
【図３】タイマー本体の内部構造を説明する一部断面図である。
【図４】図３の状態におけるタイマー本体の喉部を指で押圧した場合の形状を説明する一部断面図である。
【図５】タイマー本体を下方から見た底面図である。
【図６】タイマー本体の設置と、カップ食材容器蓋を開放する様子の説明図である。
【図７】喉部が時間の経過とともに移動し、タイマー本体自体の荷重のバランスが変化する様子の説明図である。
【図８】本発明の第２実施形態を示す一部断面図である。
【図９】基部と重心移動部の内部構造を示す斜視図である。
【図１０】流動体を備えた重心移動部の構造を示す一部破断上面図である。
【図１１】重心移動部内の流動体の移動により、タイマー本体自体の荷重のバランスが変化する様子の説明図である。
【図１２】本発明の第３実施形態の内部構造を概略的に示す斜視図である。
【図１３】本発明の第３実施形態のであり、頭部が時間の経過とともに移動し、タイマー本体自体の荷重のバランスが変化する様子の説明図である。
【図１４】本発明の変形例としての実施形態であり、脚部が時間の経過とともに移動し、タイマー本体自体の荷重のバランスが変化する様子の説明図である。
【図１５】本発明の別の変形例としての実施形態であり、腕部が時間の経過とともに移動し、タイマー本体自体の荷重のバランスが変化する様子の説明図である。
【発明を実施するための形態】
【００１１】
本発明に係る調理用タイマーを説明する実施の形態として、一例としてカップ食材容器蓋の押え具として、この調理用タイマーを用いた実施形態を図面と共に説明する。以下に、実施例を挙げて、本発明をより具体的に説明するが、これら実施例は、本発明を適用できる実施形態の一例ではあるものの、本発明はこれら実施例にのみ限定されるものではなく本発明の思想の範囲内において種々の変形が可能である。
【実施例１】
【００１２】
調理用タイマーは主に一個のタイマー本体として表現されており、図１は本発明の第1実施形態を概略的に示す斜視図である。第1実施形態において、このタイマー本体１はカップ食材容器蓋の押え具として利用されるものであり、この実施例の場合、ゴム質の合成樹脂からなる物体であり、動物（カエル）の形状をしている。このタイマー本体１は後述するように所定の重量があり、カップ麺と称される食品を例に挙げると、カップ麺に湯を注ぐために剥離した蓋体の一部分が蓋体の弾力性により捲れ易く、この捲れた部分から熱が逃げないように、蓋体の一部分を閉塞状態で保持する程度の重量が与えられている。
【００１３】
２は、タイマー本体１（カエル）の喉部であり、通常時は膨出しており、押し込むと内側へ変形できるようにするために、特にこの喉部２の部分は弾性変形しやすい比較的柔らかい樹脂で構成されている。ただしタイマー本体１全体を弾性変形しやすい比較的柔らかい樹脂で構成してもよい。図２はタイマー本体１を上方から見た斜視図であり、上部には、その中心部にオリフィス３１の形成された比較的軟性の逆止弁３が貼着されている。なお逆止弁３とオリフィス３１とを別の位置に形成してもよい。
【００１４】
図３，４には、タイマー本体１の内部構造が一部断面図として示されている。図３に示されるようにタイマー本体１の内部には空気収納空間７が形成されており、この空気収納空間７は喉部２の裏側に位置し、前記した逆止弁３と小孔５を備える上蓋８で閉塞されている。さらに空気収納空間７には、バネ４が内蔵され、このバネ４は喉部２と上蓋８との間に位置し、両者を逆方向に付勢している。６は、このタイマー本体１を利用しない時に冷蔵庫等へ吸着させるためのマグネットである。特に図４はタイマー本体１の使用例であり、図３の状態のタイマー本体１の喉部２を指９で押圧した場合の形状が示されている。弾性変形しやすい比較的柔らかい樹脂で構成されている喉部２は、バネ４の変形とともにタイマー本体１内に入り込む。この時、空気収納空間７内の空気は逆止弁３を押し開けて小孔５から外部へ流出する。
【００１５】
図５はこのタイマー本体１を下方から見た底面図であり、後端部近傍に線状凹部１０が設けられており、この線状凹部１０はカップ食材容器にタイマー本体１を載置する際の位置規定部となる。すなわち線状凹部１０の凹部が容器体１２の開口の縁部に嵌り位置決めできることになる。位置規定部はこのような線状凹部１０でもよいが、線状凸部、またはそれら凹凸が点在するもの、さらには利用者がタイマー本体１を載置する際の目安として利用する凹凸のないマーカーでもよい。タイマー本体１の左または右にマーカーとしての印がついているものでもよい。また本例によれば線状凹部１０の凹部がタイマー本体１の下面に左右方向に一本形成されているが、他の例として図５に破線で示される様に線状凹部１０’を追加形成して前後に２本もしくはそれ以上の本数形成することもできる。当然凹凸のない複数のマーカーでもよい。すなわち複数の位置規定部を設け、これら複数の位置規定部をカップ食材容器にタイマー本体１を載置する際の位置規定部として選択して利用できることになる。すなわち後述するように、容器体１２の開口のほぼ縁部に位置する線状凹部１０（位置規定部）をほぼ支点として機能させる場合、位置規定部の選択で前記した支点を複数個選択できることになるのである。この位置規定部は、格別支点としての機能に限らず、落下する際の前後の荷重バランスを支配する位置としての機能に主眼を置いた利用でもよい。
【００１６】
続いて図４に示される位置で指９の押圧を解放すると、タイマー本体１の喉部２は、バネ４の復帰力によって図３の位置に戻ろうとする。しかし復帰するには空気収納空間７内に空気の供給が必要であり、負圧状態の空気収納空間７内に外部から空気を吸い込もうとするも、逆止弁３が小孔５を塞ぐことになり、オリフィス３１を介してしか負圧状態の空気収納空間７内に外部から空気を吸い込むことができないため、時間の掛かる復帰となる。したがって図４の状態から図３の状態に戻る時間は、オリフィス３１の大きさやバネ４の弾性係数を選択することにより決定でき、時間の経過を計測するタイマー手段を得ることができる。また後述するが、喉部２の復帰移動は、前記タイマー手段によって所定の時間が計測された結果に起因して機能する解除手段となりうる。
【００１７】
図６には、調理済みや一部調理済みの、麺や、ご飯、野菜、その他各種食材がカップ中に収納され、カップ内にお湯を注ぐことにより内部の食材を食する程度に暖めたり、調理できるカップ食材容器１１が示されている。（イ）に示されるように、カップ食材容器１１は一般に容器体１２から蓋体１３の一部分を剥離し、そこから湯を注いで麺の茹でを３分から５分程度待つ処理が必要となる。その処理時、蓋体１３の一部剥離した部分は蓋体１３が弾力性を有しており上方に捲れ易くなっている。ここでカップ食材容器１１は一般に容器体１２と蓋体１３とから成り、蓋体１３である上面と、容器体１２側面とから成る角部が形成されている被載置体（カップ食材容器１１）の蓋体１３の一部剥離した部分を、その荷重で戻すように上面にタイマー本体が載置される。前記タイマー本体１の下面には、前記タイマー本体の載置時において前記被載置体（カップ食材容器１１）の角部に対するタイマー本体１の載置位置を示す前記した位置規定部が形成されている。
【００１８】
そこで（ロ）に示されるように、熱湯を注入のために開放されたカップ食材容器１１の蓋体１３の外周部分にタイマー本体１が置かれる。この例はタイマー本体１自体の荷重を利用するものであり、前記タイマー本体１の位置規定部の近傍が、その荷重を一度開放されたカップ食材容器１１の蓋体１３の外周部分における開放を抑制できる位置に配置されている。位置規定部である線状凹部１０はカップ食材容器１１にタイマー本体１を載置する位置の目安となり、線状凹部１０はカップ食材容器１１の蓋体１３の外周部分、すなわち容器体１２の開口のほぼ縁部（角部）に位置することになる。この位置は、後述する前記タイマー手段によって所定の時間が計測された結果に起因して機能する喉部２の復帰移動によるタイマー本体１の解除タイミングと密接に関係する。図４に示したようにタイマー本体１の喉部２を指９で押圧し、その状態で（ロ）に示されるように、熱湯を注入のために開放されたカップ食材容器１１の蓋体１３の外周部分にタイマー本体１が置かれる。
【００１９】
タイマー本体１の喉部２は、バネ４の復帰力によって図３に位置に戻ろうとするが、前記したように図４の状態から図３の状態に戻る時間は、オリフィス３１の大きさやバネ４の弾性係数の選択により決定され、時間の経過を計測するタイマー手段を得ることができる。要するにタイマー本体１は、カップ食材容器１１の蓋体１３の外周部分における少なくとも一部の開放を抑制または解放可能な開閉制御手段として機能することになり、続いてタイマー本体１は、時間の経過によって図４の状態から図３の状態に戻る。すなわち前記タイマー本体１は時間の経過に起因して前記タイマー本体１の重心が移動する重心移動手段を備えることになり、（ハ）に示されるようにタイマー本体１は所定時間経過後の前記タイマー本体１の重心が移動して前記蓋体１３の外周部分からタイマー本体１が落下し、その荷重が失われる。すなわち容器体１２の開口のほぼ縁部に位置する線状凹部１０が支点となってタイマー本体１が回転して落下し、食材の調理等終了を報知できることになる。これに加えて、荷重が失われることにより、蓋体１３の外周部分がその弾性力により開放し、食材の調理等終了を報知できる効果もある。
【００２０】
図７には、タイマー本体１自体の荷重のバランス、すなわちタイマー本体１の重心が移動する重心移動に起因して、タイマー本体１が線状凹部１０の位置、すなわち容器体１２の開口のほぼ縁部の位置で回転することが示されている。すなわち容器体１２の開口のほぼ縁部に位置する線状凹部１０が支点となってタイマー本体１が回転して落下し、食材の調理等終了を報知できることになる。これに加えて、荷重が失われることにより、蓋体１３の外周部分がその弾性力により開放し、食材の調理等終了を報知できる効果もある。なお、前記したように容器体１２の開口のほぼ縁部に位置する線状凹部１０（位置規定部）を複数個用意した場合について、支点となる位置規定部として前方を選択した場合、支点を中心としたタイマー本体１自体の荷重バランスは後が大となり、図7（ハ）に示されるタイマー本体１自体の荷重のバランスの変化で前記蓋体１３の外周部分からタイマー本体１が落下する時間は早まり、また支点となる位置規定部として後方を選択した場合、支点を中心としたタイマー本体１自体の荷重バランスは前が大となり、図7（ハ）に示されるタイマー本体１自体の荷重のバランスの変化で前記蓋体１３の外周部分からタイマー本体１が落下する時間は遅れることになり、カップ食材に応じたタイマー調整が可能となる。この位置規定部は、格別支点としての機能に限らず、落下する際のタイマー本体１前後の荷重バランスを支配する位置としての機能に主眼を置いた利用でもよいことは明らかである。
【００２１】
図８は、本発明の第２実施形態であり、第２実施形態において、このタイマー本体１もカップ食材容器蓋の押え具として利用されているが、格別カップ食材容器に載せる必要はない。この実施例の場合、ゴム質の合成樹脂からなる物体であり、動物（カメ）の形状をしている。このタイマー本体１は後述するように所定の重量があり、カップ麺と称される食品を例に挙げると、カップ麺に湯を注ぐために剥離した蓋体の一部分が蓋体の弾力性により捲れ易く、この捲れた部分から熱が逃げないように、蓋体の一部分を閉塞状態で保持する程度の重量が与えられている。
【００２２】
載置状態は前記実施形態で説明したので省略するが、タイマー本体１（カメ）は、基部４０（胴部）と、重心移動の機能を果たす重心移動部３０（甲羅部）から構成され、重心移動部３０（甲羅部）内に設けられた空間部３２内には流動体である水等の液体３６が封入されている。また空間部３２内には上端から仕切り部３４が垂下しており、空間部３２を下端のオリフィス部３７を残して前後に仕切っている。またこの載置状態では少なくとも重心移動部３０（甲羅部）は傾斜し、上方の液体３６が下流側へオリフィス部３７を介して流出できるようになっている。６は、このタイマー本体１を利用しない時に冷蔵庫等へ吸着させるためのマグネットである。
【００２３】
図９には、タイマー本体１（カメ）の分解斜視図が示されており、重心移動部３０（甲羅部）は、仕切り部３４が垂下する比較的透明な透視板で形成されている上板３３と下板３８とで密封状態の空間部３２が形成されている。空間部３２は仕切り部３４で前後に仕切られてはいるが、下端にはオリフィス部３７が存在する。また下板３８下方には回転ピン３９が延出している。３５は下板３８下方に凸設している係止片である。基部４０（胴部）は、上面４４に前記回転ピン３９と遊嵌するピン孔４１を有し、また前後には前記係止片３５と係合できる係止片４２が設けられている。したがって重心移動部３０（甲羅部）は、基部４０（胴部）に対して回転ピン３９を中心に回動可能であり、かつ係止片３５と係止片４２との比較的軽い係脱機能が用意されているため、両者は約１８０度回転して安定的に保持できるようになっている。図１０はタイマー本体１（カメ）の一部破断状態の平面図である。特に本例によれば、図１０に示されるように前記タイマー本体１の基部４０（胴部）における位置規定部の近傍が、その荷重で一度開放されたカップ食材容器１１の蓋体１３の外周部分における開放を抑制できる位置に配置されているが、基部４０（胴部）の一部である延出部、すなわちカメの腕を利用することによって、カップ食材容器１１の蓋体１３を広く押えることができ、蒸気の逃げを確実に防止できるようになっている。本例では上板３３が透視板であるため、内部の流動体を視認でき、時間の経過を目で予測もできることになる。なお透視板は一部に利用されていてもよい。
【００２４】
図１１には、調理済みや一部調理済みの、麺や、ご飯、野菜、その他各種食材がカップ中に収納され、カップ内にお湯を注ぐことにより内部の食材を食する程度に暖めたり、調理できるカップ食材容器１１が示されている。（イ）に示されるように、カップ食材容器１１は一般に容器体１２から蓋体１３の一部分を剥離し、そこから湯を注いで麺の茹でを３分から５分程度待つ処理が必要となる。この例はタイマー本体１自体の荷重を利用するものであり、前記タイマー本体１の位置規定部の近傍が、その荷重を一度開放されたカップ食材容器１１の蓋体１３の外周部分における開放を抑制できる位置に配置されている。位置規定部である線状凹部１０はカップ食材容器１１にタイマー本体１を載置する位置の目安となり、線状凹部１０はカップ食材容器１１の蓋体１３の外周部分、すなわち容器体１２の開口のほぼ縁部（角部）に位置することになる。タイマー本体１の重心移動部３０（甲羅部）内に設けられた空間部３２内の水等の液体３６は、仕切り部３４の上方側に溜まった状態である。
【００２５】
（ロ）に示されるように、この載置状態では少なくとも重心移動部３０（甲羅部）は傾斜し、上方の液体３６が下流側へオリフィス部３７を介して流出を始める。封入された液体３６の移動は、オリフィス部３７の開口量や液体の粘性の選択により決定され、時間の経過を計測するタイマー手段を得ることができる。すなわちタイマー本体１は、時間の経過によって仕切り部３４を挟んで移動し、これに伴い前記タイマー本体１の重心が移動する重心移動手段を備えることになり、（ハ）（ニ）に示されるようにタイマー本体１は所定時間経過後の前記タイマー本体１の重心が移動して前記蓋体１３の外周部分からタイマー本体１が落下し、その荷重が失われる。この場合は容器体１２の開口のほぼ縁部に位置する線状凹部１０が支点となって、この支点をタイマー本体１の重心が越える状態になることにより、タイマー本体１が回転して落下し、食材の調理等終了を報知できることになる。これに加えて、荷重が失われることにより、蓋体１３の外周部分がその弾性力により開放し、食材の調理等終了を報知できる効果もある。再度の使用時には、図９、１０に示されるように、重心移動部３０（甲羅部）が、基部４０（胴部）に対して回転ピン３９を中心に回動可能であり、かつ係止片３５と係止片４２との比較的軽い係脱機能が用意されているため、重心移動部３０（甲羅部）を、基部４０（胴部）に対して約１８０度回転して安定的に保持した状態で再度（イ）に示されるような載置が可能となる。なお、流動体として液体３６に代えて砂、砂鉄、種々の粉体、更にはコロイド物質などを利用することができる。またオリフィス部３７や仕切り部３４の形状はこの実施例のものに限定されず、円孔や溝のオリフィス部３７など種々の変更が可能なことは明らかである。なお本例では、タイマー本体が重心移動部３０と基部４０から成るが、重心移動部３０のみの単体でもよく、この場合は再度使用する時に、上下の向きを変えて載置すればよい。
【００２６】
図１２は本発明の第３実施形態における斜視図であり、タイマー本体１の頭部２２が内部に設置された移動棒１４と連携し、前後に動くようになっている。具体的には、ギアケース１５の溝１７に対して移動棒１４が前後に所定時間かけて動くようになっている。１６はこのギアケース１５内のギアを動かすゼンマイボックスである。（ロ）に示される頭部２２が前に来ている状態のタイマー本体１が、熱湯を注入のために開放されたカップ食材容器１１の蓋体１３の外周部分に置かれる。この例はタイマー本体１自体の荷重を利用するものであり、前記タイマー本体１が、その荷重を開放されたカップ食材容器１１の蓋体１３の外周部分における開放を抑制できる位置に配置されている。そして頭部２２は時間の経過とともに（ロ）に示される状態となり、タイマー本体１自体の荷重のバランスが変化する。その結果タイマー本体１が落下し、食材の調理等終了を報知できることになる。これに加えて、荷重が失われることにより、蓋体１３の外周部分がその弾性力により開放し、食材の調理等終了を報知できる効果もある。この動きは図１３に示されている。この場合、腕と胸部との境界部が、カップ食材容器にタイマー本体１を載置する際の位置規定部となる。
【００２７】
別の実施形態である図１４は脚部２２’が時間の経過とともに移動し、タイマー本体１自体の荷重のバランスが変化する変形例であり、図１５は腕部２２”が時間の経過とともに移動し（この場合は瞬間的に動く）、すなわち腕部２２”の移動はタイマー本体１の重心の移動でもあり、これに起因して、タイマー本体１自体の荷重の支えが無くなる変形例である。この実施形態は第３実施形態におけるギアケース１５やゼンマイボックス１６を用いた機構が採用されているが、時間とともに次第に動く機構を用いてもよい。この場合も、腕と胸部との境界部が、カップ食材容器にタイマー本体１を載置する際の位置規定部となる。
【符号の説明】
【００２８】
１                タイマー本体
２                タイマー本体の喉部
３                逆止弁
４                バネ
５                小孔
６                マグネット
７                空気収納空間
８                上蓋
１０              線状凹部
１１              カップ食材容器
１２              容器体
１３              蓋体
１４              移動棒
１５              ギアケース
１６              ゼンマイボックス
１７              溝
２２              頭部
２２’            脚部
２２”            腕部
３０              重心移動部
３１              オリフィス
３２              空間部  
３４              仕切り部
３５              係止片
３６              流動体
３７              オリフィス部
３９              回転ピン
４０              基部
４１              ピン孔
４２              係止片
４４              上面
【図１】
2013083443.tif 000003
【図２】
2013083443.tif 000004
【図３】
2013083443.tif 000005
【図４】
2013083443.tif 000006
【図５】
2013083443.tif 000007
【図６】
2013083443.tif 000008
【図７】
2013083443.tif 000009
【図８】
2013083443.tif 000010
【図９】
2013083443.tif 000011
【図１０】
2013083443.tif 000012
【図１１】
2013083443.tif 000013
【図１２】
2013083443.tif 000014
【図１３】
2013083443.tif 000015
【図１４】
2013083443.tif 000016
【図１５】
2013083443.tif 000017